(57)【要約】      （修正有）【課題】メガネのフロント部を鼻の両脇に当てて支持することが出来、化粧落ちを防止すると共に鼻パッドの跡が残らない鼻当てパッドを提供する。【解決手段】鼻当てパッドはリング状のパッド受け４と鼻パッド５で構成し、パッド受け４の背面側には内側へ抜け止め６を形成し、鼻パッド５はパッド受け４より僅かに大きな外形としてその材質をスポンジとし、そして鼻パッド５をパッド受け４に嵌めて取付ける。【選択図】図２
0003153182.tif 000002
【実用新案登録請求の範囲】
【請求項１】
メガネのフロント部を鼻の両脇に当てて支持する為の鼻当てパッドにおいて、該鼻当てパッドはリング状のパッド受けと鼻パッドで構成し、パッド受けの背面側には内側へ抜け止めを形成し、鼻パッドはパッド受けより僅かに大きな外形であってその材質をスポンジとし、そして鼻パッドをパッド受けに嵌めて取付けたことを特徴とする着脱可能なスポンジ系鼻当てパッド。
【請求項２】
メガネのフロント部を鼻の両脇に当てて支持する為の鼻当てパッドにおいて、該鼻当てパッドはリング状のパッド受けと鼻パッドで構成し、鼻パッドはパッド受けより僅かに大きな外形とし、また表面側には一回り大きなツバを形成してその材質をスポンジとし、そして鼻パッドをパッド受けに嵌めて取付けたことを特徴とする着脱可能なスポンジ系鼻当てパッド。
【考案の詳細な説明】
【技術分野】
【０００１】
本考案は化粧が着きにくく、鼻パッドを着脱可能なように取付けたメガネフレームの鼻当てパットに関するものである。
【背景技術】
【０００２】
メガネを着用する目的は自分の視力を矯正する為であり、近眼の人、老眼の人、乱視の人など、その目的に応じて色々なメガネを掛けている。しかし、メガネは顔に掛けることからファッション性が高く、メガネ本来の目的とは離れてファッションの１つとして着用する場合も多い。しかし、女性の場合には一般に顔に化粧をすることから、メガネを掛けるとフロント部を支える鼻当てパットが鼻の両脇に当って化粧が落ちたり、メガネを外した状態では鼻当てパット部分の跡が残る。
【０００３】
メガネを顔に掛ける場合、両ツルの先端は耳に係止するが、比較的重いフロント部は顔の鼻に当てて支持しなくてはならない。勿論、鼻当てパットを備えていないメガネもあるが、掛けた際の安定性がなく、フロント部が位置ズレし易い。例えば、顔の頬骨に当ててフロント部を支えるために、ツルにパッドを取付けたメガネも知られている。
【０００４】
実用新案登録第３１３６０７６号に係る「メガネの鼻当てに取付けられるパット」は、パッドの痕跡に起因する肌のシミ、シワをなくし、眼鏡のずり落ちを防止するものである。そこで、メガネの鼻当てに取付けられるパットを、軟質部材で化粧肌に優しくフィットする吸着性及び／又は通気性を備えた柔軟構造体とし、鼻当てに簡易に着脱でき、化粧肌に痕跡を与えず、かつ痕跡に起因する肌のシミ、化粧崩れの防止を図っている。
【０００５】
実用新案登録第３１３６８８１号に係る「鼻パッド用吸汗クッションシール」は、暑い時期のメガネ使用において、汗によるメガネの滑り落ちや、汗と鼻パッド材にかき混ぜられた状態での化粧くずれが避けられ、メガネ痕も残らない鼻パッド用吸汗クッションシールである。
すなわち、鼻パッドに汗を吸い取るため、吸湿性があって尚且つ弾性と適度な厚みを持ったクッション部分と、粘着層の部分からなる吸汗クッションシールを構成している。
【０００６】
これら鼻当てパッドには化粧落ちを防止する多少の効果はあるであろうが、まだ十分とはいえない。
【特許文献１】実用新案登録第３１３６０７６号に係る「メガネの鼻当てに取付けられるパット」
【特許文献２】実用新案登録第３１３６８８１号に係る「鼻パッド用吸汗クッションシール」
【考案の開示】
【考案が解決しようとする課題】
【０００７】
このように、化粧崩れ防止や化粧落ち防止を図った鼻当てパットは色々知られているが、まだ十分な効果を得ることは出来ない。本考案が解決しようとする課題はこの問題点であり。メガネを掛けても鼻当てパッドの跡が殆ど残らず、化粧落ちが生じない鼻当てパッドを提供する。
【課題を解決するための手段】
【０００８】
本考案の鼻当てパッドを構成する鼻パッドの材質をスポンジ系としている。スポンジとは内部に細かな孔が無数に開いた多孔質の柔らかい物質であり、外部からの力で容易に変形する特性を有している。無数に形成している細かい孔の為に、その表面は細かい凹凸面となり、鼻の両脇に当る際にはフロント部を支えるために変形するが無数の点接触となる。
【０００９】
非常に柔らかいために外周を拘束することが出来るリング状のパッド受けに嵌り、ただし表面から作用する圧力によって該パッド受けから抜けないように抜け止め手段を設けている。ここで、パッド受けの形状は特に限定しないが、一般的には従来の鼻当てパッドに近い形をしている。そして、該パッド受けには取付け具が取付けられて、フロント部から延びるアーム先端に連結して取付けられる。
【考案の効果】
【００１０】
本考案に係る鼻当てパッドはスポンジ系のパッドをリング状バッド受けに嵌めて構成し、メガネを掛ける場合には鼻の両脇に当たることで鼻の形状に馴染んで変形することが出来る。しかし、スポンジ系の鼻パッドはリング状のパッド受けに嵌ることで全体形状は保たれ、表面は細かい凹凸面と成っていることから鼻両脇には多数の点接触状態と成って当る。
【００１１】
その為に、僅かな隙間から空気が侵入して汗をかくことはなく、又点接触することで化粧落ちが防止される。そして、リング状のパッド受けに嵌ったスポンジ系の鼻パッドは背面側から押すことで簡単に外すことが出来、汚れた際には新たな鼻パッドと交換出来る。しかし抜け止め手段が設けられている為に、表面からの圧力にてパッド受けから離脱することはない。
【図面の簡単な説明】
【００１２】
【図１】顔にメガネを掛けた状態。
【図２】互いに分離しているパッド受けとパッド。
【図３】本発明に係る鼻当てパッドの実施例。
【図４】抜け止めとして表面側にツバを形成したパッド。
【考案を実施するための形態】
【００１３】
図１は本考案の鼻当てパッドを備えたメガネを顔に掛けている状態を示している。メガネのフロント部１の中央には鼻当てパッド２，２が対を成して取付けられ、該鼻当てパッド２，２が鼻３の両脇に当ってフロント部１が支えられている。ここで、フロント部１の形態に関しては本考案の対象外であることから限定するものではない。例えば、ハーフリムと水糸を用いてレンズを取付けたフロント部であったり、リムを用いない縁なしメガネとして構成したフロント部とする場合がある。
【００１４】
ところで、本考案の鼻当てパッド２はパッド受けと鼻パッドにて構成され、パッド受けはリング状をなし、鼻パッドはパッド受けより僅かに大きくてその材質はスポンジが用いられている。スポンジは無数の小さい孔を有し、軽くて変形自在であり、パッド受けに簡単に嵌めることが出来、又逆に取外すことが出来る。
【００１５】
図２はパッド受け４と鼻パッド５が互いに分離している状態であり、鼻パッド５はリング状のパッド受け４に嵌って取付けられる。鼻パッド５の外形はパッド受け４より僅かに大きく成っているが、外形を収縮することで簡単に嵌り、パッド受け４の内周側に突出した小さい抜け止め６，６・・・に当ってストッパーとなり、背面側へ抜け出すことはない。
【００１６】
そして、取付け具７が設けられ、この取付け具７はフロント部１から延びるアーム先端に設けているボックスに嵌ってネジ止めされる。取付け具７に設けている穴８には止めネジが挿通してボックスに多少のアガキを持って取付けられる。図３はパッド受け４に鼻パッド５が嵌った場合であり、該鼻パッド５はパッド受け４から多少突出した状態で取付けられ、鼻の両脇にパッド受け４が当らないようにしている。
【００１７】
スポンジから成る鼻パッド５は鼻に当ることで自由に変形し、ほぼ全面が均等な面圧となる。しかし、無数の小さい孔を有していることで、表面９は小さい凹凸面となっており、無数の小さい凸部が鼻と接することで実質接触面積は小さくなる。そして、小さい無数の凹部には空気が流れて鼻パッド５の表面９が汗ばむことはなく、化粧が剥がれたり、鼻パッド５が当る部分が赤く変色することもない。
【００１８】
しかし、鼻パッド５の表面９には僅かではあるが化粧品が付着して汚れることは事実であり、ある期間経過したところで新たな鼻パッド５と交換する場合には、後方から押圧することでパッド受け４から外すことが出来る。ところで、該パッド受け４は金属製のバンドを丸めて両先端をロウ付けし、取付け具７もロウ付けされる。又は取付け具７も含めて樹脂を材質とした射出成形してもよい。
【００１９】
図４は鼻パッド５を示す他の実施例である。表面側を一回り大きくしたツバ１０を外周に形成し、鼻パッド５をパッド受け４に嵌めることでツバ１０が当って抜け止めとなる。従って、前記図２のパッド受け４に設けている抜け止め６，６・・・は不要となる。又、パッド受け４に設ける別の抜け止め形態として、図２のような小さい突片ではなく、全周にわたってツバを形成することも可能である。
【符号の説明】
【００２０】
１  フロント部
２  鼻当てパッド
３  鼻
４  パッド受け
５  鼻パッド
６  抜け止め
７  取付け具
８  穴
９  表面
10  ツバ
【図１】
0003153182.tif 000003
【図２】
0003153182.tif 000004
【図３】
0003153182.tif 000005
【図４】
0003153182.tif 000006